(57)【要約】【課題】本発明は、かご床上の清掃を効率良く行うことができるエレベータのかごを得ることを目的とするものである。【解決手段】巾木４は、複数のピン８を介して巾木取付金７の先端部に連結されており、巾木４の長手方向に平行かつ水平な軸を中心として回動可能になっている。即ち、巾木４は、垂直な通常位置と、傾斜された清掃位置との間で回動可能になっている。清掃位置では、巾木４の下端部が巾木取付部５の内側に位置し、スリット５ｄがかご室内に露出される。巾木４の上端部には、巾木４を所定の保持力で通常位置に保持する通常位置保持具９が固定されている。巾木４の下端部には、巾木４を所定の保持力で清掃位置に保持する清掃位置保持具１０が固定されている。【選択図】図３
2010222128.tif 000002
【特許請求の範囲】
【請求項１】
かご室内に向けて開口する断面コ字形の巾木取付部が端部に設けられているかご床、及び
前記巾木取付部の開口を塞ぐように前記巾木取付部に設けられている平板状の巾木
を備え、
前記巾木は、垂直な通常位置と、下端部が巾木取付部内に位置するように傾斜された清掃位置との間で回動可能になっており、
前記巾木を前記清掃位置に回動させることによりかご室内に露出される前記巾木取付部の下面部には、ゴミ排出用の孔が設けられていることを特徴とするエレベータのかご。
【請求項２】
前記巾木を所定の保持力で前記通常位置に保持する通常位置保持具、及び
前記巾木を所定の保持力で前記清掃位置に保持する清掃位置保持具
をさらに備え、
前記通常位置保持具及び前記清掃位置保持具による前記巾木の保持状態は、かご室内からの手動操作により解除可能であることを特徴とする請求項１記載のエレベータのかご。
【請求項３】
前記通常位置保持具及び前記清掃位置保持具は、前記巾木及び前記巾木取付部の少なくともいずれか一方に設けられた磁石をそれぞれ有していることを特徴とする請求項２記載のエレベータのかご。
【発明の詳細な説明】
【技術分野】
【０００１】
この発明は、かご室壁の下端部とかご床との間に巾木が設けられているエレベータのかごに関するものである。
【背景技術】
【０００２】
従来のエレベータのかごでは、かご床の周囲に巾木が固定されており、クリップナット及びボルトにより巾木上に側板が接続されている（例えば、特許文献１参照）。
【先行技術文献】
【特許文献】
【０００３】
【特許文献１】実開昭６２−９８６７６号公報
【発明の概要】
【発明が解決しようとする課題】
【０００４】
一般に、エレベータのかご室内は、定期的に清掃することで意匠性を長く維持することができる。特に、最も汚れ易いかご床は、頻繁に清掃することが必要である。しかし、上記のような従来のエレベータのかごでは、かご床と巾木との間の狭い隙間に溜まった砂埃等のゴミを箒ではき出すのが困難であった。また、箒で集めたゴミを塵取りに移してかご室外へ運び出す必要があり、手間がかかっていた。
【０００５】
この発明は、上記のような課題を解決するためになされたものであり、かご床上の清掃を効率良く行うことができるエレベータのかごを得ることを目的とする。
【課題を解決するための手段】
【０００６】
この発明に係るエレベータのかごは、かご室内に向けて開口する断面コ字形の巾木取付部が端部に設けられているかご床、及び巾木取付部の開口を塞ぐように巾木取付部に設けられている平板状の巾木を備え、巾木は、垂直な通常位置と、下端部が巾木取付部内に位置するように傾斜された清掃位置との間で回動可能になっており、巾木を清掃位置に回動させることによりかご室内に露出される巾木取付部の下面部には、ゴミ排出用の孔が設けられている。
【発明の効果】
【０００７】
この発明のエレベータのかごは、巾木が清掃位置に回動可能になっており、かつ巾木取付部の下面部にゴミ排出用の孔が設けられているので、巾木を清掃位置に回動させ、露出した孔からゴミを排出することにより、かご床上の清掃を効率良く行うことができる。
【図面の簡単な説明】
【０００８】
【図１】この発明の実施の形態１によるエレベータのかご室内を示す正面図である。
【図２】図１のＩＩ−ＩＩ線に沿う断面図である。
【図３】図２の巾木を清掃位置に回動させた状態を示す断面図である。
【図４】図２の巾木の背面を拡大して示す斜視図である。
【発明を実施するための形態】
【０００９】
以下、この発明を実施するための形態について、図面を参照して説明する。
実施の形態１．
図１はこの発明の実施の形態１によるエレベータのかご室内を示す正面図である。図において、かご床１とかご天井２との間には、かご室壁を構成する複数の壁パネル３が設けられている。かご床１と壁パネル３の下端部との間には、複数の平板状（帯状）の巾木４が設けられている。
【００１０】
図２は図１のＩＩ−ＩＩ線に沿う断面図、図３は図２の巾木４を清掃位置に回動させた状態を示す断面図、図４は図２の巾木の背面を拡大して示す斜視図である。かご床１の端部には、かご室内に向けて開口する断面コ字形の巾木取付部５が設けられている。巾木取付部５は、かご床１の基材の端部を折り曲げ加工することにより、かご床１に一体に形成されている。
【００１１】
また、巾木取付部５は、かご床１の基材を水平に延長してなる下面部５ａと、下面部５ａから垂直に立設された垂直部５ｂと、垂直部５ｂの上端部からかご室内側へ折り曲げられた水平な壁パネル結合部５ｃとから構成されている。
【００１２】
壁パネル結合部５ｃは、下面部５ａに対向している。壁パネル３の下端部は、締結具６により壁パネル結合部５ｃに結合されている。下面部５ａには、ゴミ排出用の孔である複数のスリット５ｄが設けられている。
【００１３】
巾木４は、巾木取付部５の開口を塞ぐように巾木取付部５に設けられている。巾木取付部５の内側には、巾木４を支持する巾木取付金７が設けられている。巾木取付金７の基端部は、垂直部５ｂに固定されている。巾木４は、その上下方向の中間部で、巾木取付金７の先端部に支持されている。
【００１４】
また、巾木４は、複数のピン８を介して巾木取付金７の先端部に連結されており、巾木４の長手方向に平行かつ水平な軸を中心として回動可能になっている。即ち、巾木４は、図２に示す垂直な通常位置と、図３に示すように傾斜された清掃位置との間で回動可能になっている。
【００１５】
清掃位置では、巾木４の下端部が巾木取付部５の内側に位置し、スリット５ｄがかご室内に露出される。また、清掃位置では、巾木４の上端部がかご室内に突出する。
【００１６】
巾木４の上端部には、巾木４を所定の保持力で通常位置に保持する通常位置保持具９が固定されている。通常位置保持具９は、巾木４が通常位置にあるときに壁パネル結合部５ｃに吸着される永久磁石を有している。
【００１７】
巾木４の下端部には、巾木４を所定の保持力で清掃位置に保持する清掃位置保持具１０が固定されている。清掃位置保持具１０は、巾木４が清掃位置にあるときに垂直部５ｂに吸着される永久磁石を有している。清掃位置保持具１０の永久磁石の垂直部５ｂとの接合面は、垂直部５ｂに接合される際に垂直部５ｂと平行になるように巾木４への固定面に対して傾斜されている。
【００１８】
通常位置保持具９及び清掃位置保持具１０による巾木４の保持状態は、かご室内からの手動操作により解除可能である。具体的には、通常位置保持具９による巾木４の保持状態は、図２の状態から、永久磁石の吸着力に抗して巾木４の下端部を押圧することにより解除される。同様に、清掃位置保持具１０による巾木４の保持状態は、図３の状態から、永久磁石の吸着力に抗して巾木４の上端部を押圧することにより解除される。
【００１９】
このようなエレベータのかごでは、かご床１上を清掃する際、巾木４を清掃位置に回動させ、箒１１で集めた砂埃等のゴミ１２をスリット５ｄからかご室外へ排出する。このため、巾木４の下端部とかご床１との間の隙間に溜まったゴミ１２も容易に取り除くことができ、また、集めたゴミ１２を塵取りに移す必要もなくなり、かご床１上の清掃を効率良く行うことができ、かご室内の意匠性を維持することができる。
【００２０】
また、通常位置保持具９及び清掃位置保持具１０の保持力により巾木４を通常位置及び清掃位置に保持するようにしたので、通常時に巾木４が回動して意匠性が低下するのを防止することができるとともに、清掃時に巾木４を清掃位置に保持して清掃をより効率良く行うことができる。
【００２１】
さらに、通常位置保持具９及び清掃位置保持具１０に永久磁石を用いたので、簡単な構成により、巾木４を各位置に保持できるとともに、手動操作での解除を容易に実現することができる。
【００２２】
なお、通常位置保持具９や清掃位置保持具１０の永久磁石の数や間隔は特に限定されるものではないが、巾木４の長手方向の全体に均等な保持力を得られるように配置するのが好適である。
また、上記の例では、巾木４に通常位置保持具９及び清掃位置保持具１０を設けたが、巾木取付部５側に設けても、両方に設けてもよい。
さらに、巾木４及び巾木取付部５のいずれか一方に通常位置保持具９を、他方に清掃位置保持具１０を設けてもよい。
さらにまた、通常位置保持具９及び清掃位置保持具１０は、永久磁石を利用したものに限定されず、例えば面ファスナー等を利用したものであってもよい。
【００２３】
また、上記の例では、ゴミ排出用の孔としてスリット５ｄを示したが、孔の形状や数も特に限定されるものではなく、例えば丸い孔や矩形の孔であってもよい。
さらに、孔の下部にゴミ収容箱を取り付けるなどしてもよい。
【００２４】
さらにまた、上記の例では、巾木４の回動中心が巾木４の上下方向の中間部にあるが、締結具６と干渉しなければ、巾木４の上端部付近に回動中心があってもよい。
また、上記の例では、巾木４の全体を回動させたが、例えば中間部から下の部分のみを回動可能としてもよい。
さらに、巾木４は長手方向に複数に分割してもよい。
さらにまた、必ずしも全ての巾木４を回動可能としなくてもよい。
また、巾木取付部５は、かご床１と別体であってもよい。
さらに、例えば巾木４の回動軸の摩擦力等により巾木４の回動にある程度の抵抗力が付与されていれば、通常位置保持具９や清掃位置保持具１０を省略してもよい。
【符号の説明】
【００２５】
１  かご床、４  巾木、５  巾木取付部、５ａ  下面部、５ｄ  スリット（孔）、９  通常位置保持具、１０  清掃位置保持具。
【図１】
2010222128.tif 000003
【図２】
2010222128.tif 000004
【図３】
2010222128.tif 000005
【図４】
2010222128.tif 000006